(57)【要約】      （修正有）【課題】導糸手段から糸セレクトガイドへの糸の受け渡し時において、糸の太さ、種類及び性質に関係なく、糸セレクトガイドの内側に確実に糸が収納され、確実な糸の選択を可能とするようにした糸外しガイド機構及びそれを設けた糸交換機構付電子制御サンプル整経機を提供する。【解決手段】糸外し位置と休止位置とに変位可能に取り付けられた糸外しガイド１３６ａと、糸外しガイド１３６ａに設けられた誘導ガイド２４６ａと、を含み、誘導ガイド２４６ａが糸外しガイド１３６ａから突出された少なくとも一つの突出部２４８を有し、突出部２４８の突出方向が多方向へ曲げられた形態とされ、かつ少なくとも一つの突出部２４８の先端部が誘導ガイド端部とされており、糸外しガイド１３６ａが糸外し位置に移動し、かつ糸セレクトガイドが糸収納位置に移動したときに、前記誘導ガイド端部が、前記糸セレクトガイドの先端部よりも導糸手段の回転方向の上流側に位置するように形成されるようにした。【選択図】図４
0003144038.tif 000002
【実用新案登録請求の範囲】
【請求項１】
糸外しを行う時には糸外し位置に移動し、糸外しを行わない時には休止位置に移動する糸外しガイドを複数個の糸セレクトガイドの各々に対応して１個ずつ設け、導糸手段から糸を外すときは１個の糸外しガイドに前記導糸手段に保持された糸を引っ掛けた後、次にその引っ掛けられた糸を前記導糸手段から外し対応する糸セレクトガイドに渡すように動作させるようにした糸交換機構付電子制御サンプル整経機に用いられる糸外しガイド機構であり、
糸外し位置と休止位置とに変位可能に取り付けられた糸外しガイドと、
前記糸外しガイドに設けられた誘導ガイドと、
を含み、
前記誘導ガイドが前記糸外しガイドから突出された少なくとも一つの突出部を有し、
前記突出部の突出方向が多方向へ曲げられた形態とされ、かつ少なくとも一つの前記突出部の先端部が誘導ガイド端部とされており、
前記糸外しガイドが糸外し位置に移動し、かつ糸セレクトガイドが糸収納位置に移動したときに、
前記誘導ガイド端部が、前記糸セレクトガイドの先端部よりも導糸手段の回転方向の上流側に位置するように形成されていることを特徴とする糸外しガイド機構。
【請求項２】
前記誘導ガイド端部の先端が導糸手段の回転方向に向かって傾斜していることを特徴とする請求項１記載の糸外しガイド機構。
【請求項３】
前記糸外しガイドが糸外し位置に移動し、かつ糸セレクトガイドが糸収納位置に移動したときに、前記誘導ガイド端部が前記糸セレクトガイドよりもクリール側に位置するように形成されていることを特徴とする請求項１又は２記載の糸外しガイド機構。
【請求項４】
前記誘導ガイドが、前記糸外しガイドの長手方向から突出した第一突出部と、
前記第一突出部から上方に突出した第二突出部と、
を含み、
第二突出部の先端部が前記誘導ガイド端部とされていることを特徴とする請求項１〜３いずれか１項記載の糸外しガイド機構。
【請求項５】
前記誘導ガイドが、前記糸外しガイドの長手方向に対して垂直に突出した第一突出部と、
前記第一突出部から垂直に突出した第二突出部と、
前記第二突出部から上方に突出した第三突出部と、
を含み、
第三突出部の先端部が前記誘導ガイド端部とされていることを特徴とする請求項１〜３いずれか１項記載の糸外しガイド機構。
【請求項６】
請求項１〜５いずれか１項記載の糸外しガイド機構を設け、前記導糸手段に保持された糸が、前記誘導ガイドにより下方に誘導されることにより、前記糸セレクトガイドの先端の下位置で前記糸外しガイドによって導糸手段から外されるようにし、前記糸セレクトガイドの内側に確実に糸が収納されるようにしたことを特徴とする糸交換機構付電子制御サンプル整経機。
【考案の詳細な説明】
【技術分野】
【０００１】
本考案は、整経胴に糸を巻き付ける導糸手段を１個又は複数個有し、設置された糸順序に従い、自動的に糸を交換し、整経胴上に糸を巻いていく電子制御サンプル整経機において、巻き付ける糸を効率的に交換することを可能とした糸外しガイド機構及びそれを用いた糸交換機構付電子制御サンプル整経機に関する。
に関する。
【背景技術】
【０００２】
従来、糸交換機構付電子制御サンプル整経機としては、特許文献１に示されるようなものが知られている。
【０００３】
特許文献１は、整経胴の側面に回転自在に設けられかつ整経胴に糸を巻きつける１個又は複数個の導糸手段と、該整経胴を支持する基台の一端部に該導糸手段に対応して設けられるとともに糸交換時には糸交換位置に突出し、糸収納時には待機位置に収納される複数個の糸セレクトガイドとを有し、導糸手段と各糸セレクトガイドとの間で糸の受け渡しを行うことにより、予め設定された糸順序に従い、自動的に糸を交換し整経胴上に糸を巻きつけていく電子制御サンプル整経機であり、糸外しを行う時には糸外し位置に移動し、糸外しを行わない時には休止位置に移動する糸外しガイドを上記複数個の糸セレクトガイドの各々に対応して１個ずつ設け、上記導糸手段から糸を外すときは１個の糸外しガイドに導糸手段に保持された糸を引っ掛けた後、次にその引っ掛けられた糸を該導糸手段から外し対応する糸セレクトガイドに渡すように動作させることによって、上記導糸手段から糸を外すときの糸の緩みを極小としたことを特徴とする糸交換機構付電子制御サンプル整経機を開示している（特許文献１の請求項１）。
【０００４】
さらに、特許文献１は、前記糸外しガイドが前記導糸手段の先端方向に傾斜する斜辺を有し、該導糸手段から糸を外す際に該導糸手段に保持されている糸を該糸外しガイドに引っ掛けた後、該糸外しガイドのガイド斜辺に沿って該導糸手段の先端方向へ滑動させて該導糸手段から糸を外すことにより、糸に対する物理的衝撃を少なくして糸外しを行うことができるようにしたこと（特許文献１の請求項２）及び前記糸外しガイドの先端部に三角形ガイド部を設け、該三角形ガイド部の一辺を前記ガイド斜辺とすること（特許文献１の請求項３）を開示している。
【０００５】
特許文献１に開示された糸外しガイド１３６ａ〜１３６ｊでは、固定式クリールＢ及び回転式クリール（特許文献１の段落[００２０]など参照）から引出された糸２２は、基台Ｙの糸セレクトガイド装置１２７に納められる。そして、糸セレクトガイド２７ａ〜２７ｊ及び糸外しガイド１３６ａ〜１３６ｊの動作により、糸セレクトガイド２７ａ〜２７ｊから導糸手段６（ヤーンガイドとも呼ばれる）への糸２２の受け渡し（つまり、糸セレクトガイド２７ａ〜２７ｊでの収納・待機状態の糸から整経ドラムへの巻付け）と、導糸手段６から糸セレクトガイド２７ａ〜２７ｊへの糸２２の受け渡し（つまり、整経ドラムへの巻付状態から糸セレクトガイドへの収納状態）とが行われることにより糸選択を可能としているものである。
【０００６】
特許文献１に開示された糸外しガイド１３６ａ〜１３６ｊでは、特許文献１の図５、６、７、１２、１３等からわかるように、糸外しガイド１３６ａ〜１３６ｊの厚さ方向の延長線上に誘導ロッド１４６ａ〜１４６ｊが取付けられており、該誘導ロッド１４６ａ〜１４６ｊの先端は、くの字に曲がっている（特許文献１の図４参照）。そして、導糸手段６から糸セレクトガイド２７ａ〜２７ｊへの糸２２の受け渡しは、導糸手段６が回転して糸セレクトガイド装置１２７に到達する前に、糸セレクトガイド２７ａ〜２７ｊと糸外しガイド１３６ａ〜１３６ｊを糸外し方向へ回転させ、糸外しガイドの先端部の三角形ガイド部１３７ａ〜１３７ｊと三角形ガイド部のガイド斜辺１３９ａ〜１３９ｊにより導糸手段６から糸２２を外し、糸セレクトガイド２７ａ〜２７ｊへと受け渡している。
【０００７】
このように、特許文献１に開示された糸外しガイド１３６ａ〜１３６ｊの誘導ロッド１４６ａ〜１４６ｊは、導糸手段６から外された糸２２を糸セレクトガイド２７ａ〜２７ｊの内側へ誘導する役割を果たすロッドである。
【０００８】
この従来の誘導ロッド１４６ａが突設された糸外しガイド１３６ａを図２２に示す。図２２において、三角形ガイド部１３７ａにはガイド斜辺１３９ａが設けられている。２５４は三角形ガイド部１３７ａに開穿された孔であり、２５６は糸外しガイド１３６ａに開穿された開口部である。１３８は糸外しガイド１３６ａを回動させるためのロータリーソレノイドである。
【０００９】
図２２によく示される如く、従来の糸外しガイド１３６ａでは、Ｘ軸方向突出部３４８及びＹ軸方向突出部３５２を有する誘導ロッド１４６ａが突設されていた。なお、誘導ロッド１４６ａの先端には誘導端部１５８とされている。
【００１０】
しかしながら、上記したような従来の糸外しガイドでは、導糸手段から糸セレクトガイド２７ａ〜２７ｊへの糸の受け渡し時において糸セレクトガイド２７ａ〜２７ｊの先端と誘導ロッド１４６ａ〜１４６ｊまでの間隔が広いため（特許文献１の図１１参照）、導糸手段６から外された糸が一度糸セレクトガイド２７ａ〜２７ｊの先端内側へ誘導されたあと、前記糸外しガイド１３６ａ〜１３６ｊの三角形ガイド部１３７ａ〜１３７ｊの内側面と糸セレクトガイド２７ａ〜２７ｊの先端との隙間から糸セレクトガイド２７ａ〜２７ｊの上側へ出てしまい糸選択ミスの原因となっていた。
【００１１】
そのため、整経する糸の太さ、種類及び性質によって、糸の受け渡し時における糸セレクトガイド２７ａ〜２７ｊの先端と糸外しガイド１３６ａ〜１３６ｊの三角形ガイド部１３７ａ〜１３７ｊの内側面との間隔を調整しながら糸選択ミスを防いでいた。
【００１２】
つまり、従来の糸外しガイドを設けた糸交換機構付電子制御サンプル整経機では、糸が変わる度に該変わった糸に合わせて、糸の受け渡し時における糸セレクトガイド２７ａ〜２７ｊの先端と糸外しガイド１３６ａ〜１３６ｊの三角形ガイド部１３７ａ〜１３７ｊの内側面との間隔を調整する作業が必要であった。
【特許文献１】特開平１１−２９３５３６
【特許文献２】特開２００２−０１３０３８
【特許文献３】特開平７−１３３５３８
【考案の開示】
【考案が解決しようとする課題】
【００１３】
本考案は、上記した従来技術の問題点に鑑みなされたもので、導糸手段から糸セレクトガイドへの糸の受け渡し時において、糸の太さ、種類及び性質に関係なく、糸セレクトガイドの内側に確実に糸が収納され、確実な糸の選択を可能とするようにした糸外しガイド機構及びそれを設けた糸交換機構付電子制御サンプル整経機を提供することを目的とする。
【課題を解決するための手段】
【００１４】
上記課題を解決するために、本考案に係る糸外しガイド機構は、糸外しを行う時には糸外し位置に移動し、糸外しを行わない時には休止位置に移動する糸外しガイドを複数個の糸セレクトガイドの各々に対応して１個ずつ設け、導糸手段から糸を外すときは１個の糸外しガイドに前記導糸手段に保持された糸を引っ掛けた後、次にその引っ掛けられた糸を前記導糸手段から外し対応する糸セレクトガイドに渡すように動作させるようにした糸交換機構付電子制御サンプル整経機に用いられる糸外しガイド機構であり、糸外し位置と休止位置とに変位可能に取り付けられた糸外しガイドと、前記糸外しガイドに設けられた誘導ガイドと、を含み、前記誘導ガイドが前記糸外しガイドから突出された少なくとも一つの突出部を有し、前記突出部の突出方向が多方向へ曲げられた形態とされ、かつ少なくとも一つの前記突出部の先端部が誘導ガイド端部とされており、前記糸外しガイドが糸外し位置に移動し、かつ糸セレクトガイドが糸収納位置に移動したときに、前記誘導ガイド端部が、前記糸セレクトガイドの先端部よりも導糸手段の回転方向の上流側に位置するように形成されていることを特徴とする。
【００１５】
また、前記誘導ガイド端部の先端が導糸手段の回転方向に向かって傾斜しているのが好ましい。
【００１６】
さらに、前記糸外しガイドが糸外し位置に移動し、かつ糸セレクトガイドが糸収納位置に移動したときに、前記誘導ガイド端部が前記糸セレクトガイドよりもクリール側に位置するように形成されているのが好適である。
【００１７】
さらにまた、前記誘導ガイドが、前記糸外しガイドの長手方向から突出した第一突出部と、前記第一突出部から上方に突出した第二突出部と、を含み、第二突出部の先端部が前記誘導ガイド端部とされている構成とすることもできる。
【００１８】
前記誘導ガイドが、前記糸外しガイドの長手方向に対して垂直に突出した第一突出部と、前記第一突出部から垂直に突出した第二突出部と、前記第二突出部から上方に突出した第三突出部と、を含み、第三突出部の先端部が前記誘導ガイド端部とされている構成とすることもできる。
【００１９】
本考案の糸交換機構付電子制御サンプル整経機は、前記糸外しガイド機構を設け、前記導糸手段に保持された糸が、前記誘導ガイドにより下方に誘導されることにより、前記糸セレクトガイドの先端の下位置で前記糸外しガイドによって導糸手段から外されるようにし、前記糸セレクトガイドの内側に確実に糸が収納されるようにしたことを特徴とする。
【考案の効果】
【００２０】
本考案に係る糸外しガイド機構によれば、導糸手段から糸セレクトガイドへの糸の受け渡し時において、糸の太さ、種類及び性質に関係なく、糸セレクトガイドの内側に確実に糸が収納され、確実な糸の選択ができるという著大な効果を有する。
【００２１】
本考案に係る前記誘導ガイドは、従来の誘導ガイド（誘導ロッド）の形状を変えただけであるため、従来の糸外しガイドの基体部及びその先端の三角形ガイド部の形状を変更することなく、かつ、糸セレクトガイドと糸外しガイドの基体部の取付け関係の寸法なども変えることなく（糸の太さ、細さ、種類、性質に関係なく）、確実な糸の選択が可能となるという利点を有する。
【００２２】
また、本考案に係る糸交換機構付電子制御サンプル整経機によれば、前記糸外しガイド機構を設けたことにより、糸の太さ、種類及び性質に関係なく、糸セレクトガイドの内側に確実に糸が収納され、確実な糸の選択ができるという著大な効果を有する。
【考案を実施するための最良の形態】
【００２３】
以下に本考案の一つの実施の形態を実施例に基づき添付図面を参照して説明する。図１〜図２１において、図２２に示した従来装置と同一又は類似部材は同一の符号を用いて説明する場合がある。また、電子制御サンプル整経機の基本的構成については、上記した特許文献１及び特許文献２などから公知であるため、詳細な説明ついては省略する。
【００２４】
図１は本考案に係る糸外しガイド機構を設けた糸交換機構付電子制御サンプル整経機の概略斜視図、図２は本考案に係る糸外しガイド機構を設けた糸セレクトガイド装置の概略斜視図、図３は本考案に係る糸外しガイド機構における糸セレクトガイド装置と導糸手段の位置関係図、図４は本考案に係る糸外しガイド機構の糸外しガイドの第一の態様を示すもので、（ａ）糸外しガイドの概略右側面図、（ｂ）糸外しガイドの概略背面図である。
【００２５】
図５は本考案に係る糸外しガイド機構における収納された糸（待機中の糸）及び糸セレクトガイド並びに糸外しガイドの待機位置と整経中の糸を示す概略説明平面図、図６は本考案に係る糸外しガイド機構における導糸手段から糸セレクトガイドへの受け渡し動作を示す概略説明平面図である。
【００２６】
図７は本考案に係る糸外しガイド機構の糸外し動作を示すもので、図６の状態からさらに糸軌道が変わった状態を示す概略説明平面図、図８は本考案に係る糸外しガイド機構の糸外し動作を示すもので、図７の状態からさらに糸軌道が変わった状態を示す概略説明平面図である。
【００２７】
図９は本考案に係る糸外しガイド機構における糸セレクトガイドから導糸手段への受け渡し動作を示すもので、待機中から整経中の糸へ糸軌道が変わった状態を示す概略説明平面図、図１０は本考案に係る糸外しガイド機構における糸セレクトガイドから導糸手段への受け渡し動作を示すもので、図９の状態からさらに糸軌道が変わった状態を示す概略説明平面図である。
【００２８】
図１１は本考案に係る糸外しガイド機構における整経中の糸軌道と待機中の糸の関係を示す概略説明側面図。図１２は本考案に係る糸外しガイド機構における導糸手段から糸セレクトガイドへの受け渡し動作を示す概略説明側面図である。図１３は本考案に係る糸外しガイド機構における糸セレクトガイドから導糸手段への受け渡し動作を示す概略説明側面図である。
【００２９】
図１４は本考案に係る糸外しガイド機構における糸セレクトガイド及び糸外しガイドの位置を示す概略斜視図であり、糸セレクトガイド及び糸外しガイド共に待機位置にある状態を示す概略斜視図である。図１５は本考案に係る糸外しガイド機構における糸セレクトガイド及び糸外しガイドの位置を示す概略斜視図であり、糸セレクトガイド及び糸外しガイド共に動作位置（導糸手段から糸セレクトガイドへの受け渡し動作）にある状態を示す。図１６は本考案に係る糸外しガイド機構における糸セレクトガイド及び糸外しガイドの位置を示す概略斜視図であり、糸セレクトガイドが動作位置（糸セレクトガイドから導糸手段への受け渡し動作）にある状態を示す。
【００３０】
図１７は本考案に係る糸外しガイド機構の誘導ガイドの第一の態様を示す概略斜視図、図１８は図１７のＡ矢視図、図１９は本考案に係る糸外しガイド機構における糸外しガイドにより導糸手段から外される糸の状態を示す要部説明平面図である。
【００３１】
図２０は本考案に係る糸外しガイド機構の誘導ガイドの第二の態様を示す概略斜視図、図２１は図２０のＢ矢視図、図２２は従来技術に係る糸外しガイド機構の糸外しガイドを示すもので、（ａ）糸外しガイドの概略右側面図、（ｂ）糸外しガイドの概略背面図である。
【００３２】
図１は、本考案に係る糸外しガイド機構を設けた糸交換機構付電子制御サンプル整経機の１つの例のサンプル整経機Ｗを示す。図１におけるサンプル整経機Ｗは、整経胴Ａの側面に回転自在に設けられかつ整経胴Ａに糸２２を巻付ける複数本（図示例では８本）の導糸手段（図示例ではヤーンガイド）６ａ〜６ｈと、該整経胴Ａを支持する基台Ｙの一端部に該導糸手段６ａ〜６ｈに対応して設けられるとともに糸交換時には糸交換位置に回動突出し、糸収納時には待機位置に回動収納される複数個の糸選択手段、即ち糸セレクトガイド２７を設けた糸セレクトガイド装置１２７と、該複数個の糸セレクトガイド２７に対応してそれぞれ設置されかつ異種及び／又は同種の糸２２を巻いてある複本数のボビン１０６を立てる固定式クリールＢ及び異種及び／又は同種の糸２２を巻いてある複本数のボビン１２６を立てる回転式クリールＦとを有し、ヤーンガイド６ａ〜６ｈと糸セレクトガイド２７との間で糸２２の受け渡しを行うことにより、設定された糸順序に従い自動的に糸を交換し、整経胴Ａ上に糸を巻付けるものである。
【００３３】
このように、このサンプル整経機Ｗにおいては、固定式クリールＢの糸２２及び回転式クリールＦの糸２２を複数個の糸セレクトガイド２７にそれぞれ収納し、該固定式クリールＢの糸２２及び回転式クリールＦの糸２２を併用可能とし、整経胴Ａ上に必要に応じて固定式クリールＢの糸２２及び回転式クリールＦの糸２２をそれぞれ順次巻付けることができるようになっている。
【００３４】
符号１７は整経胴Ａの周面に移動可能に設定されたコンベアベルトである。また、整経胴Ａの長手方向に複数本の綾取手段が互いに平行に設置されるが、その図示は省略してある。なお、サンプル整経機Ｗの基本的構成及び作用は上記した特許公報等により広く知られており、詳細な説明は省略する。
【００３５】
図２は糸セレクトガイド装置１２７の斜視概略図である。図示の例では、糸セレクトガイド装置１２７は、固定式クリールＢの糸２２を収納するための第一糸セレクトガイド装置１２７Ｂと回転式クリールＦの糸２２を収納するための第二糸セレクトガイド装置１２７Ｆとから構成されている。
【００３６】
前記第一糸セレクトガイド装置１２７Ｂは複数の糸セレクトガイド２７ａ〜２７ｊと糸外しガイド１３６ａ〜１３６ｊを有しており、第二糸セレクトガイド装置１２７Ｆは複数の糸セレクトガイド２７ｋ〜２７ｒと糸外しガイド１３６ｋ〜１３６ｒを有している。前記第一糸セレクトガイド装置１２７Ｂ及び第二糸セレクトガイド装置１２７Ｆは、ヤーンチェンジフレーム２００に設けられており、該ヤーンチェンジフレーム２００が基台Ｙに取り付けられている。このようにして、基台Ｙの一端部に糸セレクトガイド装置１２７が設けられている。
【００３７】
図３に本考案に係る糸外しガイド機構における糸セレクトガイド装置と導糸手段の位置関係図を示す。図３において、６は導糸手段であり、先端部が導糸杆６’とされている。２１０は整経胴Ａに巻き付ける糸をガイドするためのガイド手段であり、特許文献３から知られている。なお、符号１６は整経胴Ａに設けられたドラムスポークである。５９はフロントカバー、５９ａはフロントガイドロッド、１４１はフロントストッパである。１３８は糸外しガイド１３６ａを回動させるためのロータリーソレノイドである。１４４は糸セレクトガイド間を仕切るためのセパレータである。
【００３８】
糸外しガイド１３６ａの厚さ方向の延長線上に誘導ガイド２４６ａが取付けられており、導糸手段６から糸セレクトガイド２７ａへの糸２２の受け渡しは、導糸手段６が回転して糸セレクトガイド装置１２７に到達する前に、糸セレクトガイド２７ａと糸外しガイド１３６ａを糸外し方向へ回転（図示例では、最大１０．８°）させ、糸外しガイドの先端部の三角形ガイド部１３７ａと三角形ガイド部のガイド斜辺１３９ａにより導糸手段６から糸２２を外し、糸セレクトガイド２７ａ〜２７ｊ及び２７ｋ〜２７ｒへと受け渡している。
【００３９】
また、糸外しガイド１３６ａの誘導ガイド２４６ａは、導糸手段６から外された糸２２を糸セレクトガイド２７ａの内側へ誘導する役割を果たすガイドである。
【００４０】
図４及び図１７〜図１９に、糸外しガイド１３６ａに設けられた誘導ガイドの第一の態様を示す。図４及び図１７〜図１９によく示される如く、糸外しガイド１３６ａは、誘導ガイド２４６ａが糸外しガイド１３６ａから突出された少なくとも一つの突出部２４８を有し、前記突出部２４８の突出方向が多方向へ曲げられた形態とされ、かつ少なくとも一つの前記突出部２４８の先端部が誘導ガイド端部２５８とされており、前記糸外しガイド１３６ａが糸外し位置に移動し、かつ糸セレクトガイド２７ａが糸収納位置に移動したときに、前記誘導ガイド端部２５８が、前記糸セレクトガイド２７ａの先端部よりも導糸手段の回転方向の上流側に位置するように形成されている（図３参照）。
【００４１】
図示例では、誘導ガイド端部２５８が略くの字状とされており導糸手段の回転方向に向かって傾斜している。そして、前記糸外しガイド１３６ａが糸外し位置に移動し、かつ糸セレクトガイド１３６ａが糸収納位置に移動したときに、前記誘導ガイド端部２５８が前記糸セレクトガイド１３６ａよりもクリール側（固定クリールＦ及び回転クリール）に位置するように形成されている
【００４２】
第一の態様である糸外しガイド１３６ａでは、前記誘導ガイド２４６ａが、前記糸外しガイド１３６ａの長手方向に対して垂直に突出した第一突出部２４８と、前記第一突出部から垂直に突出した第二突出部２５０と、前記第二突出部２５０から上方に突出した第三突出部２５２と、を含み、第三突出部２５２の先端部が前記誘導ガイド端部２５８とされている。
【００４３】
すなわち、図１７によく示される如く、糸外しガイド１３６ａの長手方向に対して９０°で第一突出部２４８がＸ軸方向に突出しており、前記第一突出部２４８に対して９０°で第二突出部２５０がＺ軸方向に突出しており、第二突出部２５０に対して９０°で第三突出部２５２がＹ軸方向に突出している。
【００４４】
このように、従来の糸外しガイドに突設されていた誘導ロッド１４６とは、Ｘ軸方向及びＹ軸方向への突出部に加えてＺ軸方向にも突出部を設けられており、先端部の誘導ガイド端部２５８が、糸外しガイド１３６が糸外し位置に移動し、かつ糸セレクトガイド２７が糸収納位置に移動したときに、前記誘導ガイド端部２５８が、前記糸セレクトガイド２７の先端部よりも導糸手段の回転方向の上流側に位置するように形成された点で、誘導ガイド２４６は従来の誘導ロッド１４６と相違するのである。
【００４５】
上記した糸外しガイド機構を設けたのが、図１に示した糸交換機構付電子制御サンプル整経機Ｗである。この糸交換機構付電子制御サンプル整経機Ｗでは、前記導糸手段６に保持された糸２２が、前記誘導ガイド２４６により下方に誘導されかつ糸の進行を止められることにより、前記糸セレクトガイド２７の先端の下位置で前記糸外しガイド１３６によって導糸手段６から外されるようにし、前記糸セレクトガイド２７の内側に確実に糸２２が収納されるのである（図１９参照）。
【００４６】
図５〜図９に、糸外しガイド機構における導糸手段６から糸セレクトガイド２７への受け渡し動作を上から見た様子を示す。なお、２２ｍは整経中の糸、２２ｎは休止中の糸をそれぞれ示す。図５〜図９とは別に、糸外しガイド機構における導糸手段６から糸セレクトガイド２７への受け渡し動作を側面から見た様子を図１１、図１２に示す。
【００４７】
これら図面によく示される如く、糸外しガイド１３６は、誘導ガイド２４６が糸外しガイド１３６から突出された少なくとも一つの突出部２４８を有し、前記突出部２４８の突出方向が多方向へ曲げられた形態とされ、かつ少なくとも一つの前記突出部２４８の先端部が誘導ガイド端部２５８とされており、前記糸外しガイド１３６が糸外し位置に移動し、かつ糸セレクトガイド２７が糸収納位置に移動したときに、前記誘導ガイド端部２５８が、前記糸セレクトガイド２７の先端部よりも導糸手段の回転方向の上流側に位置するように形成されている。
【００４８】
これらの図面により、糸外し機構における導糸手段６から糸セレクトガイド２７への受け渡し動作を説明する。図５の糸２２ｍは整経中の糸であり、待機中の糸セレクトガイド２７並びに糸外しガイド１３６に接触しない状態で整経ドラムＡに巻付けている（図１１参照）。
【００４９】
図６は、受け渡しの指示により、糸セレクトガイド２７ｊと糸外しガイド１３９ｊが糸外し位置に移動したところであり、糸２２ｍは糸セレクトガイド２７ｊの上面を通過するところである（図１２参照）。
【００５０】
図７は、図６の状態から導糸手段６がさらに矢印方向へ回転したところであり、糸２２ｍは糸セレクトガイド２７ｊの先端上面を通過し、誘導ガイド２４６ｊに巻付進行（回転進行）を止められるとともに、糸セレクトガイド２７ｊの先端内側へ誘導され、かつ、糸外しガイド１３６ａの三角ガイド１３７ａの斜辺１３９ａにすべりながら導糸材６’から外れるところである。
【００５１】
図８は、図７の状態から導糸手段６がさらに矢印方向へ回転したところであり、糸２２ｍは導糸材６’から外れ、糸セレクトガイド２７ｊの内側へ収納されたところである。その後、糸セレクトガイド２７ｊ及び糸外しガイド１３６ｊは待機位置に戻り、導糸手段６から糸セレクトガイド２７への受け渡しは完了する。
【００５２】
図１４と図１５に基づいてさらに説明する。図１４では、糸セレクトガイド２７ｈ及び糸外しガイド１３６ｈ共に待機位置にある状態である。本考案の場合には、糸外しガイド１３６ｈが動作し、糸セレクトガイド２７ｈが動作すると（つまり糸収納位置となると）、図１５によく示されるごとく、誘導ガイド端部２５８が糸セレクトガイド２７の先端部よりも導糸手段６の回転方向の上流側に位置するように形成されている。
【００５３】
したがって、前記導糸手段６に保持された糸２２が、前記誘導ガイド２４６により下方に誘導されることにより、前記糸セレクトガイド２７の先端の下位置で前記糸外しガイド１３６によって導糸手段６から外されるようにし、前記糸セレクトガイド２７の内側に確実に糸２２が収納されるのである。
【００５４】
このようにして、糸の太さ、種類及び性質に関係なく、糸セレクトガイドの内側に確実に糸が収納され、確実な糸の選択ができる。
【００５５】
上述したように、誘導ガイドは糸外しガイド１３６ａから突出された少なくとも一つの突出部を有し、前記突出部の突出方向が多方向へ曲げられた形態とされ、かつ少なくとも一つの前記突出部の先端部が誘導ガイド端部とされており、前記糸外しガイド１３６ａが糸外し位置に移動し、かつ糸セレクトガイド２７が糸収納位置に移動したときに、前記誘導ガイド端部が、前記糸セレクトガイド２７の先端部よりも導糸手段の回転方向の上流側に位置するように形成されていればよいものである。
【００５６】
したがって、上記した第一の態様以外にも種々の形態が適用できる。
【００５７】
図２０及び図２１に、糸外しガイド１３６ａに設けられた誘導ガイドの第二の態様を示す。第二の態様では、誘導ガイド２６６ａが、糸外しガイド１３６ａの長手方向から突出した第一突出部２６８と、前記第一突出部２６８から上方に突出した第二突出部２７２と、を含み、第二突出部２７２の先端部が誘導ガイド端部２７８とされている。
【００５８】
このような形態であっても、糸外しガイド１３６ａが糸外し位置に移動し、かつ糸セレクトガイド２７ａが糸収納位置に移動したときに、前記誘導ガイド端部２５８が、前記糸セレクトガイド２７ａの先端部よりも導糸手段の回転方向の上流側に位置するように形成されているため、前記導糸手段６に保持された糸２２が、前記誘導ガイド２４６により下方に誘導されることにより、前記糸セレクトガイド２７の先端の下位置で前記糸外しガイド１３６ａによって導糸手段６から外されるようにし、前記糸セレクトガイド２７の内側に確実に糸２２が収納されるのである。
【図面の簡単な説明】
【００５９】
【図１】本考案に係る糸外しガイド機構を設けた糸交換機構付電子制御サンプル整経機の概略斜視図である。
【図２】本考案に係る糸外しガイド機構を設けた糸セレクトガイド装置の概略斜視図である。
【図３】本考案に係る糸外しガイド機構における糸セレクトガイド装置と導糸手段の位置関係図である。
【図４】本考案に係る糸外しガイド機構の糸外しガイドの第一の態様を示すもので、（ａ）糸外しガイドの概略右側面図、（ｂ）糸外しガイドの概略背面図である。
【図５】本考案に係る糸外しガイド機構における収納された糸（待機中の糸）及び糸セレクトガイド並びに糸外しガイドの待機位置と整経中の糸を示す概略説明平面図である。
【図６】本考案に係る糸外しガイド機構における導糸手段から糸セレクトガイドへの受け渡し動作を示す概略説明平面図である。
【図７】本考案に係る糸外しガイド機構の糸外し動作を示すもので、図６の状態からさらに糸軌道が変わった状態を示す概略説明平面図である。
【図８】本考案に係る糸外しガイド機構の糸外し動作を示すもので、図７の状態からさらに糸軌道が変わった状態を示す概略説明平面図である。
【図９】本考案に係る糸外しガイド機構における糸セレクトガイドから導糸手段への受け渡しを示すもので、待機中から整経中の糸へ糸軌道が変わった状態を示す概略説明平面図である。
【図１０】本考案に係る糸外しガイド機構における糸セレクトガイドから導糸手段への受け渡しを示すもので、図９の状態からさらに糸軌道が変わった状態を示す概略説明平面図である。
【図１１】本考案に係る糸外しガイド機構における整経中の糸軌道と待機中の糸の関係を示す概略説明側面図である。
【図１２】本考案に係る糸外しガイド機構における導糸手段から糸セレクトガイドへの受け渡し動作を示す概略説明側面図である。
【図１３】本考案に係る糸外しガイド機構における糸セレクトガイドから導糸手段への受け渡し動作を示す概略説明側面図である。
【図１４】本考案に係る糸外しガイド機構における糸セレクトガイド及び糸外しガイドの位置を示す概略斜視図であり、糸セレクトガイド及び糸外しガイド共に待機位置にある状態を示す。
【図１５】本考案に係る糸外しガイド機構における糸セレクトガイド及び糸外しガイドの位置を示す概略斜視図であり、糸セレクトガイド及び糸外しガイド共に動作位置（導糸手段から糸セレクトガイドへの受け渡し動作）にある状態を示す。
【図１６】本考案に係る糸外しガイド機構における糸セレクトガイド及び糸外しガイドの位置を示す概略斜視図であり、糸セレクトガイドが動作位置（糸セレクトガイドから導糸手段への受け渡し動作）にある状態を示す。
【図１７】本考案に係る糸外しガイド機構の誘導ガイドの第一の態様を示す概略斜視図である。
【図１８】図１７のＡ矢視図である。
【図１９】本考案に係る糸外しガイド機構における糸外しガイドにより導糸手段から外される糸の状態を示す要部説明平面図である。
【図２０】本考案に係る糸外しガイド機構の誘導ガイドの第二の態様を示す概略斜視図である。
【図２１】図２０のＢ矢視図である。
【図２２】従来技術に係る糸外しガイド機構の糸外しガイドを示すもので、（ａ）糸外しガイドの概略右側面図、（ｂ）糸外しガイドの概略背面図である。
【符号の説明】
【００６０】
６，６ａ〜６ｈ：導糸手段、６’：導糸杆、１７：コンベアベルト、２２，２２ｍ，２２ｎ：糸、２７ａ〜２７ｒ：糸セレクトガイド、５９：フロントカバー、５９ａ：フロントガイドロッド、１０６，１２６：ボビン、１２７：糸セレクトガイド装置、１２７Ｂ：第一糸セレクトガイド装置、１２７Ｆ：第二糸セレクトガイド装置、１３６，１３６ａ〜１３６ｊ：糸外しガイド、１３７ａ〜１３７ｊ：三角形ガイド部、１３８：ロータリソレノイド、１３９ａ〜１３９ｊ：ガイド斜辺、１４１：フロントストッパ、１４４：セパレータ、１４６，１４６ａ〜１４６ｊ：誘導ロッド、１５８：誘導端部、２００：ヤーンチェンジフレーム、２４６ａ〜２４６ｊ，２６６ａ：誘導ガイド、２４８，２６８：突出部（第一突出部）、２５０，２７２：第二突出部、２５２：第三突出部、２５８,２７８：誘導ガイド端部、３４８：Ｘ軸方向突出部、３５２：Ｙ軸方向突出部、Ａ：整経胴、Ｂ：固定式クリール、Ｆ：回転式クリール、Ｗ：糸交換機構付電子制御サンプル整経機、Ｙ：基台。
【図１】
0003144038.tif 000003
【図２】
0003144038.tif 000004
【図３】
0003144038.tif 000005
【図４】
0003144038.tif 000006
【図５】
0003144038.tif 000007
【図６】
0003144038.tif 000008
【図７】
0003144038.tif 000009
【図８】
0003144038.tif 000010
【図９】
0003144038.tif 000011
【図１０】
0003144038.tif 000012
【図１１】
0003144038.tif 000013
【図１２】
0003144038.tif 000014
【図１３】
0003144038.tif 000015
【図１４】
0003144038.tif 000016
【図１５】
0003144038.tif 000017
【図１６】
0003144038.tif 000018
【図１７】
0003144038.tif 000019
【図１８】
0003144038.tif 000020
【図１９】
0003144038.tif 000021
【図２０】
0003144038.tif 000022
【図２１】
0003144038.tif 000023
【図２２】
0003144038.tif 000024